(57)【要約】【課題】大きくカールする状態で排出されるＯＨＰシートや薄い用紙等の媒体であっても排出トレイ上で丸めることなく積載できるようにした。【解決手段】定着装置で現像剤像が定着された用紙を外部に排出させる排出ローラ対３０と、この排出ローラ対３０によって排出される用紙Ｐを傾斜する載置面３１ａ上に載置させる排出トレイ３１と、排出ローラ対３０の排出側に設けられ、排出ローラ対３０から排出される用紙Ｐの排出方向先端部を当接させて排出方向にガイドするガイド部材３２とを具備する。【選択図】      図３
2005047652.tif 000002
【特許請求の範囲】
【請求項１】
像担持体上に現像剤像を形成する像形成手段と、
この像形成手段により形成された現像剤像を媒体に転写させる転写手段と、
この転写手段で現像剤像が転写された媒体を加熱して前記現像剤像を前記媒体に定着させる定着手段と、
この定着手段で現像剤像が定着された媒体を外部に排出させる排出手段と、
この排出手段によって排出される前記媒体を傾斜面上に載置させる載置手段と、
前記排出手段の排出側に設けられ、前記排出手段から排出される前記媒体の排出方向先端部を当接させて排出方向にガイドするガイド手段と
を具備する画像形成装置。
【請求項２】
前記ガイド手段は、前記排出手段から排出される前記媒体の種類に応じて前記傾斜面に対向しない待機位置から前記傾斜面に対向する使用位置に移動する請求項１記載の画像形成装置。
【請求項３】
前記ガイド手段は回動することにより前記待機位置と前記使用位置との間で移動する請求項２記載の画像形成装置。
【請求項４】
前記ガイド手段の回動量は前記載置手段の傾斜面の角度と同等またはそれ以上である請求項３記載の画像形成装置。
【請求項５】
前記ガイド手段は回動プレートである請求項２記載の画像形成装置。
【請求項６】
前記排出手段は、前記媒体を挟持して搬送する排出ローラ対である請求項１記載の画像形成装置。
【発明の詳細な説明】
【０００１】
【発明の属する技術分野】
本発明は、画像が形成された媒体を外部に排出させる排出部を改良した画像形成装置に関する。
【０００２】
【従来の技術】
画像形成装置は、その装置本体内に感光体ドラムを回転自在に備え、この感光体ドラム上に形成したトナー像をＯＨＰシートや用紙等の媒体に転写させる。このトナー像を転写した媒体は定着ユニットに送られ、ここで、加熱するとともに加圧されてトナー像が媒体に定着される。
【０００３】
この定着後媒体は、排出ローラを介して装置本体の外部に排出され、排出トレイ上に載置される。
【０００４】
ところで、媒体が例えば、ＯＨＰシートや薄い用紙である場合には、定着ユニットで急激に熱が加えられると、カールが大きくなる傾向にある。このカールする媒体が排出ローラから排出されると、その先端部が排出トレイに当接して丸まってしまいジャムが発生したり、整頓した状態で積載することができなくなるといった不具合がある。
【０００５】
【発明が解決しようとする課題】
本発明は上記事情に着目してなされたもので、大きくカールする状態で排出されるＯＨＰシートや薄い用紙等の媒体であっても排出トレイ上で丸めることなく積載できるようにした画像形成装置を提供することを目的とする。
【０００６】
【課題を解決するための手段】
上記課題を解決するため請求項１記載のものは、像担持体上に現像剤像を形成する像形成手段と、この像形成手段により形成された現像剤像を媒体に転写させる転写手段と、この転写手段で現像剤像が転写された媒体を加熱して前記現像剤像を前記媒体に定着させる定着手段と、この定着手段で現像剤像が定着された媒体を外部に排出させる排出手段と、この排出手段によって排出される前記媒体を傾斜面上に載置させる載置手段と、前記排出手段の排出側に設けられ、前記排出手段から排出される前記媒体の排出方向先端部を当接させて排出方向にガイドするガイド手段とを具備する。
【０００７】
【発明の実施の形態】
以下、本発明を図面に示す実施の形態を参照して詳細に説明する。
【０００８】
図１は本発明の一実施の形態である画像形成装置としての電子写真複写機を示す構成図である。
【０００９】
この電子写真複写機は装置本体１Ａを有し、この装置本体１Ａ内には画像形成部１が設けられている。画像形成部１は像担持体としての感光体ドラム２と、この感光体ドラム２を所定の電位に帯電させる帯電装置５と、帯電された感光体ドラム２に静電潜像を形成する露光装置４を備えている。
【００１０】
また、画像形成部１は露光装置４により感光体ドラム２上に形成された静電潜像に現像剤としてのトナーを供給して可視化するカラー用の回転式現像装置８Ａとモノクロ用の固定式現像装置８Ｂを有している。回転式現像装置８Ａはイエロートナーを供給する第１の現像部８ａ、シアントナーを供給する第２の現像部８ｂ、マゼンタトナーを供給する第３の現像部８ｃを有している。さらに、画像形成部１は、各現像装置８Ａ，８Ｂにより感光体ドラム２に形成されたトナー像を一旦保持する中間転写体としての中間転写ベルト３を備えている。
【００１１】
また、画像形成部１は中間転写ベルト３をクリーニングするクリーナ１５、および感光体ドラム２上に残ったトナーを除去するクリーニング装置６を備えている。
【００１２】
中間転写ベルト３は、第１乃至第４のローラ３ａ〜３ｄ間に所定の張力で掛け渡されている。中間転写ベルト３が第２及び第３のローラ３ｂ、３ｃに掛け渡される部分が感光体ドラム２の外周面に密着されている。また、感光体ドラム２の上部には中間転写ベルト３を介して１次転写ローラ７が圧接されている。
【００１３】
画像形成部１の下方部には、媒体としての所定サイズの用紙を保持する用紙カセット１８ａ，１８ｂが設けられている。用紙カセット１８ａ，１８ｂには用紙Ｐを取り出すピックアップローラ７が設けられている。ピックアップローラ７によって取り出される用紙は給紙ローラ９と分離ローラ１０によって一枚ずつ送り出される。用紙カセット１８ａ，１８ｂと中間転写ベルト３との間には中間転写ベルト３に向けて用紙Ｐを搬送するための搬送系１９が備えられている。
【００１４】
搬送系１９中には用紙Ｐの搬送方向に沿って順次、搬送ローラ対９ａ，９ｂアライニングローラ１０、２次転写ローラ１１が配設されている。アライニングローラ１０は搬送されてくる用紙を一旦停止させて、搬送方向に対する用紙の傾きを修正するとともに、用紙の先端と中間転写ベルト３上のトナー像の先端とを一致させるものである。
【００１５】
また、２次転写ローラ１１の用紙搬送方向下流側には、用紙に転写されたトナー像を用紙Ｐに定着する定着装置１３が配設されている。定着装置１３は加熱ローラ１３ａと加圧ローラ１３ｂとによって構成されている。
【００１６】
定着装置１３の用紙搬送方向下流側には用紙を排出させる排出させる排出手段としての排出ローラ対３０が設けられている。排出ローラ対３０の搬出側には排出される用紙を受ける載置手段としての排出トレイ３１が設けられている。
【００１７】
また、装置本体１Ａの一側部には両面コピー時に使用される反転装置２３及び手差し給紙時に使用される手差し給紙部２４が設けられている。
【００１８】
さらに、装置本体１Ａの上部側には原稿載台２５上の原稿を光学的に読み取る光学式の読取装置２６が設けられている。
【００１９】
次に、上記した画像形成装置の印字動作について説明する。
【００２０】
まず、原稿載置台２５上に載置された原稿を光学式の読取装置２６で読み取る。このとき、感光体ドラム２の表面が帯電器５によって一様に帯電される。そして、この帯電された感光体ドラム２上に露光装置４によって読取情報に応じた露光が行われて静電潜像が形成される。この静電潜像は感光体ドラム２の回転により固定式の現像装置８Ｂに送られて対向し、現像装置８Ｂから黒色のトナーが供給されることにより現像される。この現像されたトナー像は感光体ドラム２の回転により中間転写ベルト３上に送られて１次転写ローラ７によって１次転写される。転写領域を通過した後、感光体ドラム２は除電器（図示しない）で光除電され、また、感光体ドラム２上に残ったトナーはクリーナ６でクリーニングされる。
【００２１】
一方、このときには、媒体としての用紙が供給され、中間転写ベルト３と２次転写ローラ１１との間に送込まれる。この用紙に中間転写ベルト３上のトナー像が２次転写される。この転写後、用紙は中間転写ベルト３から剥離されて定着器１３に送られ、この定着器１３でトナー像が加熱されるとともに加圧されて定着される。この定着後、用紙は排出ローラ対３０を介して外部に排出され、排出トレイ３１上に載置される。
【００２２】
図２及び図３は、用紙の排出部を示すものである。
【００２３】
用紙排出部は載置手段としての排出トレイ３１を備え、この排出トレイ３１は、用紙の排出方向に向かって上昇するように傾斜する傾斜面としての載置面３１ａを有している。排出ローラ対３０から排出される用紙Ｐは排出トレイ３１の載置面３１ａ上に載置される。
【００２４】
ところで、排出ローラ対３０から排出される用紙は、定着装置１３で加熱されてから排出されるため、その種類によっては、例えば、用紙がＯＨＰシートや薄いものである場合には、図４で示すように用紙Ｐの先端部が大きくカールした状態で排出される。
【００２５】
この場合には、用紙Ｐのカールする先端部が排出トレイ３１の載置面３１ａに当接し、用紙Ｐが丸まってしまう。このように用紙Ｐが丸まってしまうと、ジャが発生したり、整頓した状態で用紙Ｐを積載することができなくなる。
【００２６】
そこで、本発明では、この不具合を無くす為に排出ローラ対３０と下方の排出トレイ３１との間にガイド手段としてのプレート状のガイド部材３２を設けている。このガイド部材３２は支軸３３を介して装置本体１Ａに取付けられ、選択的に使用されるようになっている。
【００２７】
即ち、ガイド部材３２は排出される用紙Ｐが例えば、ＯＨＰシートや、薄いものである場合には、図５及び図６に示すように手動により或いは、自動的に待機位置から使用位置へ回動されて使用される。このガイド部材３２の回動量は、排出トレイ３１の載置面３１ａの傾斜角度αと同一またはそれ以上となっている。
【００２８】
ガイド部材３２は、待機位置では垂直状態となって排出トレイ３１の載置面３１ａには対向せず、使用位置では略水平状態となって排出トレイ３１の載置面３１ａに対向する。
【００２９】
このようにガイド部材３２が使用位置に回動された状態で、カールされたＯＨＰシートや薄い用紙が排出されてくると、図７に示すようにその先端部がガイド部材３２に当接して排出方向に沿ってガイドされる。
【００３０】
従って、用紙Ｐの先端部が排出トレイ３１の載置面３１ａに向かって送込まれて当接してしまうことがなく、丸まってしまうことがない。
【００３１】
よって、用紙Ｐを良好に排出することができジャムを発生させることがないとともに、整頓した状態での積載が可能となる。
【００３２】
また、ガイド部材３２の回動角度を排出トレイ３１の傾斜角度と同等か、若しくはそれ以上とするため、排出ローラ３０からカールされた状態で排出される用紙をより一層良好にガイドすることができる。
【００３３】
さらに、ガイド部材３２は図３に示すように排出トレイ３１上に用紙が排出された状態でも使用位置への回動が可能であり、排紙ローラ３０から排出される後続の用紙を載置することにより、用紙をセパレートすることも可能である。
【００３４】
なお、上記実施の形態では、ガイド部材３２を排紙部の幅全体に亘って設けているが、排紙部のセンタ部分にだけ設けるようにしてもよい。
【００３５】
また、ガイド部材３２はプレート状のものに限られることなく、ワイヤ状のものであっても良い。
【００３６】
さらに、ガイド部材３２は回動自在ではなく、排紙部から引き出す方式のものであってもよい。
【００３７】
その他、本発明はその要旨の範囲内で種々変形実施可能なことは勿論である。
【００３８】
【発明の効果】
本発明は以上説明したように、排出手段から排出される媒体の排出方向先端部を当接させて排出方向にガイドするガイド手段を備えるため、大きくカールする状態で排出される媒体であっても良好に排出することができ、ジャムを発生させることがないとともに、整頓した状態での積載が可能となる。
【図面の簡単な説明】
【図１】本発明の第１の実施の形態である電子写真複写機を示す内部構成図。
【図２】同電子写真複写機の用紙排紙部を示す斜視図。
【図３】同電子写真複写機の用紙排紙部を示す側面図。
【図４】同電子写真複写機の用紙排紙部において用紙が丸まった状態を示す側面図。
【図５】同電子写真複写機の用紙排紙部のガイド部材が使用位置に回動された状態を示す斜視図。
【図６】同電子写真複写機の用紙排紙部のガイド部材が使用位置に回動された状態を示す側面図。
【図７】同電子写真複写機の用紙排紙部のガイド部材によって用紙がガイドされる状態を示す側面図。
【符号の説明】
Ｐ…用紙（媒体）、１…画像形成部（像形成手段）、２…感光体ドラム（像担持体）、３…中間転写ベルト（転写手段）、１３…定着装置（定着手段）、３０…排出ローラ対（排出手段）、３１ａ…載置面（傾斜面）、３１…排出トレイ（載置手段）、３２…ガイド部材（ガイド手段）。
【図１】
2005047652.tif 000003
【図２】
2005047652.tif 000004
【図３】
2005047652.tif 000005
【図４】
2005047652.tif 000006
【図５】
2005047652.tif 000007
【図６】
2005047652.tif 000008
【図７】
2005047652.tif 000009